(57)【要約】      （修正有）【課題】百貨店や専門店等で高級品等を展示したり陳列したりする場合に最適な、且つ収納効率及び運搬効率を大幅に高め、更に修理も容易に行うことが可能な展示台を提供する。【解決手段】天板１１と前板１２と両側板１３，１４からなり、後方及び下方に開口する略直方体形状の展示台１であって、前板１２ｂ及び両側板は天板に対して折り畳み可能とされ、開いた状態において略直方体形状をなし、折り畳んだ状態において両側板及び前板を天板の裏面上に折り重ねることができる。両側板は，天板に蝶番１６，１７で連結されると共に内側に折り畳まれて天板の裏面上に折り重ねられ、前板１２ｂは、両側板の板厚よりも僅かに幅広の隙間を介在させて天板に蝶番１９で連結されると共に内側に折り畳まれて両側板上に折り重ねられることが望ましい。【選択図】図３
0003171160.tif 000002
【実用新案登録請求の範囲】
【請求項１】
天板（１１）と前板（１２）と両側板（１３，１４）からなり、後方及び下方に開口する略直方体形状の展示台（１）であって、前記前板（１２ａ）及び前記両側板（１３，１４）が前記天板（１１）に対して折り畳み可能とされ、開いた状態において略直方体形状をなし、折り畳んだ状態において前記両側板（１３，１４）及び前記前板（１２ａ）を前記天板（１１）の裏面上に折り重ねることができることを特徴とする展示台。
【請求項２】
前記両側板（１３，１４）は，前記天板（１１）に蝶番（１６，１７）で連結されると共に内側に折り畳まれて前記天板（１１）の裏面上に折り重ねられることを特徴とする請求項１に記載の展示台。
【請求項３】
前記前板（１２ａ）は、前記両側板（１３，１４）の板厚よりも僅かに幅広の隙間を介在させて前記天板（１１）に蝶番（１９）で連結されると共に、内側に折り畳まれて前記両側板（１３，１４）上に折り重ねられることを特徴とする請求項２に記載の展示台。
【請求項４】
前記両側板（１３，１４）と略同形状に形成されると共に前記天板（１１）に前記両側板の間に蝶番（１８）で連結されて内側に折り畳まれて前記天板（１１）の裏面上に折り重ねることができる支持板（１５）を配設したことを特徴とする請求項１ないし３のいずれかに記載の展示台。
【請求項５】
前記前板（１２）と前記両側板（１３，１４）は、開いた状態においてマグネット（２１）の吸着力により相互に固定されることを特徴とする請求項１に記載の展示台。
【請求項６】
前記前板（１２）の裏面上に突設された磁性体（２１）が、前記両側板（１３，１４）の前端面に設けられると共に内部にマグネット（２１）が取り付けられた凹部（１４ａ）に嵌合することにより固定されることを特徴とする請求項５に記載の展示台。
【考案の詳細な説明】
【技術分野】
【０００１】
本考案は、商品を展示したり陳列したりする展示台に関する。
【背景技術】
【０００２】
百貨店、専門店などにおいては、商品等を展示したり陳列したりするために展示台や陳列台が多用されている。このような展示台や陳列台は、展示或いは陳列する商品に応じて様々な形状や大きさのものがあり、例えば、浅い箱状のもの、或いは雛壇状のもの等がある（例えば、特許文献１及び２参照）。
【０００３】
特許文献１に記載されている商品陳列台は、商品を載置して陳列するための陳列板と、この陳列板を支持する基台とを備え、陳列板を、左右方向を向く枢軸をもって互いに回動自在に枢着された少なくとも前後２枚の板材からなるものとし、かつ、両板材の相互間に、相互の角度を調節しうる角度調節手段を備えたものである。
【０００４】
また、特許文献２に記載されている商品陳列台は、側面視略凹面状で、左右方向に連続する側方陳列面を有するものであって、該凹面は、上方側の急斜面部、及び急斜面と段差を介して連続する下方側の緩斜面部からなる形状をなしている。
【先行技術文献】
【特許文献】
【０００５】
【特許文献１】特開２００４−２６１３３３号公報（３−４頁、図１）
【特許文献２】特開２００６−１４１６６４号公報（４頁、図６）
【考案の概要】
【考案が解決しようとする課題】
【０００６】
ところで、百貨店や専門店等において特に高級品を展示或いは陳列する展示台として、業界では、ようかん棒、まくら、ステージ等と称されている箱状の展示台がある。この箱状の展示台は、一般的には細長い天板、前板及び左右の側板により形成された略直方体状をなしている。
【０００７】
また、百貨店や専門店等においては、商品の配置替えや店内の改装等に伴い、商品を陳列するための展示台の形状寸法の変更、或いはデザイン等を変更することが多い。そして、このような変更の度に展示台を購入することは無駄が多くなるために、一般にレンタルされる場合が多い。
【０００８】
このため、レンタル業者においては、多種多様且つ多数の展示台を揃えておくことが必要である。しかしながら、従来の箱形の展示台は、一体型の構造、即ち、天板、前板及び両側板を固定した構造であるために嵩張り、このため収納効率が非常に悪く、これらを保管しておくための大きな倉庫が必要となる。このため、保管費用が増大する。また、運搬効率も悪く、搬入搬出作業に多大な手間が掛かる。
【０００９】
更に、天板、前板或いは側板等のパネル（板）を破損した場合の修理も簡単に行うことができず、一部の破損であるにも拘らず展示台全体を廃棄しなければならない場合がある等の問題がある。
【００１０】
また、上述の特許文献１及び２に記載されている商品陳列台は、百貨店や専門店等において、特に高級品等を展示或いは陳列する展示台としては、デザイン的に不向きな場合が
多い。
【００１１】
本考案は、このような問題を解決するためになされたもので、百貨店や専門店等で高級品等を展示したり陳列したりする場合に最適な、且つ収納効率及び運搬効率を大幅に高め、更に修理も容易に行うことが可能な展示台を提供することを課題とする。
【課題を解決するための手段】
【００１２】
上記の課題を解決するために、本考案が採用する手段は、天板と前板と両側板からなり、後方及び下方に開口する略直方体形状の展示台であって、前板及び両側板が天板に対して折り畳み可能とされ、開いた状態において略直方体形状をなし、折り畳んだ状態において両側板及び前板を天板の裏面上に折り重ねることができることにある。
【００１３】
本考案の展示台は、物品を載置するための天板と、この天板の両側部を支持する側板と、前板とにより形成されており、これらの前板及び側板は天板に対して折り畳み可能とされる。不使用時には折り畳んで平らにし、使用するときには開いて後方及び下方に開口する略直方体形状の展示台を形成する。
【００１４】
これにより、多数の展示台を積重ねて保管することが可能となり、収納効率及び運搬効率が大幅に向上すると共に、搬入搬出作業が容易となる。更に、天板、前板或いは側板等のパネルが一部破損したような場合でも、当該破損したパネルのみを交換すればよく、修理も容易に行うことができる。
【００１５】
上記展示台において、両側板は、天板に蝶番で連結されると共に、内側に折り畳まれて天板の裏面上に折り重ねられることが望ましい。展示台を収納するときには、両側板を内側に折り畳んで天板の裏面上に折り重ねることにより、平らに折り畳むことができる。
【００１６】
上記展示台において、前板は、天板に両側板の板厚よりも僅かに幅広の隙間を介在させて蝶番で連結されると共に、内側に折り畳まれて両側板上に折り重ねられることが望ましい。更に、前板を内側に折り畳んで両側板の上に折り重ねることにより、略直方体形状の展示台を折り畳み、平板状にすることができる。これにより、多数の展示台を積重ねて収納することができる。
【００１７】
上記展示台において、両側板と略同形状に形成されると共に、天板に両側板の間に蝶番で連結され内側に折り畳まれて天板の裏面上に折り重ねることができる支持板を配設することが望ましい。このような支持板を配設することにより、展示台の強度を高めることができ、重量物の展示が可能となる。
【００１８】
上記展示台において、前板と両側板は、開いた状態においてマグネットの吸着力により相互に固定されることが望ましい。このように、マグネットの吸着力により前板と両側板とを固定するようにすれば、展示台の分解及び組み立てが極めて容易になる。
【００１９】
上記展示台において、前板の裏面上に突設された磁性体が、両側板の前端面に設けられると共に内部にマグネットが取り付けられた凹部に嵌合することにより固定されることが望ましい。このように、開いた状態において、前板の裏面上に突設された磁性体を、両側板の前端面に設けられると共に内部にマグネットが取り付けられた凹部に嵌合させて固定することにより、両側板の横方向の固定がより確実になる。
【考案の効果】
【００２０】
以上のように、本考案の展示台は、天板と前板と両側板からなり、後方及び下方に開口する略直方体形状の展示台であって、前板及び両側板は天板に対して折り畳み可能とされ
、開いた状態において略直方体形状をなし、折り畳んだ状態において両側板及び前板を天板の裏面上に折り重ねることができる。
【００２１】
本考案の展示台は、物品を載置するための天板と、この天板の両側部を支持する側板と、前板とにより形成されており、これらの前板及び側板は天板に対して折り畳み可能とされている。不使用時には折り畳んで平らにし、使用するときには開いて横長の略直方体形状の展示台を形成する。
【００２２】
これにより、多数の展示台を積重ねて保管することが可能となり、収納効率及び運搬効率が大幅に向上すると共に、搬入搬出作業が容易となる。更に、天板や前板、或いは側板等のパネルが一部破損したような場合でも、当該破損したパネルのみを交換すればよく、修理も容易に行うことができる。
【図面の簡単な説明】
【００２３】
【図１】本考案の一実施形態に係る展示台の使用例を示す斜視図である。
【図２】図１に示した展示台の斜視図である。
【図３】図２に示した展示台の上下を逆にした斜視図である。
【図４】図３に示した展示台を折り畳んで収納する場合の説明である。
【図５】図３に示した展示台の天板と側板との連結部の説明図である。
【図６】図３に示した天板と前板の連結部の説明図である。
【図７】図４に示した展示台の前板と側板との係止部の説明図である。
【図８】図７に示した前板と側板との係止部を下方から見た説明図である。
【考案を実施するための形態】
【００２４】
本考案に係る展示台を実施するための形態を、図１ないし図８を参照して詳細に説明する。
【００２５】
図１は、本考案に係る展示台の一使用例を示す斜視図であり、展示台１は、例えばテーブル３の上に載置される。図２及び図３に示すように、この展示台１は、横方向に細長い天板１１、天板１１と同じ長さの細長い前板１２、左右の両側板１３，１４、及び両側板１３，１４の間に配置された支持板１５からなり、後方と下方に開口する略直方体形状をなしている。
【００２６】
図３に示すように、左右の両側板１３，１４は、その上端部の内側が、ピアノ蝶番のような長尺の蝶番１６，１７により、天板１１の下面両側端部に折り畳み可能に連結される。支持板１５は、両側板１３，１４と略同形状に形成され、両側板１３，１４の間の略中間位置に配置されて、上端部の一側が天板１１の略中央の下面に、蝶番１８により内側に折り畳み可能に連結されている。
【００２７】
側板１３，１４及び支持板１５は、それらを引き起こした状態において天板１１の下面と直角をなし、図４及び図５の２点鎖線で示すように、それぞれ内側に折り畳んだ状態において、左右の両側板１３，１４が天板１１の裏面上に当接するように、折り畳み可能とされる。支持板１５は、例えば側板１３の側に内側に、天板１１の裏面上に当接するように折り畳み可能とされている。
【００２８】
図２、図４及び図６に示すように、前板１２は、横方向に上部前板１２ａと主前板１２ｂとに２つに上下に分割され、上部前板１２ａは、側板１３，１４及び支持板１５を図４に示すように折り畳んだ状態において、その縦幅がこれらの板厚よりも僅かに幅広に形成されている。
【００２９】
上部前板１２ａは、上端が天板１１の前面に固着されており、主前板１２ｂの上端部がこの上部前板１２ａの下端部に、内側からピアノ蝶番のような長尺の蝶番１９により、内側に折り畳み可能に連結されている。
【００３０】
即ち、主前板１２ａは、両側板１３，１４の板厚よりも僅かに幅広の隙間を介在させて天板１１に蝶番１９で連結されると共に、内側に折り畳まれて両側板１３，１４上に折り重ねることができる。
【００３１】
また、図３に示すように、主前板１２ｂは、側板１３，１４及び支持板１５が天板１１から引き起こされた状態において、当該天板１１に対して前側に直角に起立し、その裏面がこれらの側板１３，１４及び支持板１５の前端面に当接して、後方および下方に開口した箱体を形成する。これらの天板１１、前板１２及び側板１３，１４は、その表面に化粧板が施されて、見栄えの向上が図られている。
【００３２】
図４、図７及び図８に示すように、主前板１２ｂの裏面下端部近傍には、側板１３，１４及び支持板１５を図３に示すように天板１１に対して引き起こした状態において、その前端面下部の板厚の略中央位置と対応する位置に、それぞれ凹部１２ｃ（図７及び図８に側板１４の前端面と対応する位置のみ図示）が形成され、その内部に鉄等の磁性を有する係止用の角棒（磁性体）２１が、その前面を当該主前板１２ｂの裏面よりも僅かに突出するように設けられている。
【００３３】
一方、両側板１３，１４及び支持板１４の前端面には、上記角棒２１と対応する各位置に、図７、図８に示すように凹部１４ａ（図７及び図８に側板１４のみ図示）が形成されて、角棒２１の前面を吸着して係止するための係止用のマグネット２２が、その内部に固着されている。このように展示台１が形成される。
【００３４】
なお、支持板１５は、主として天板１１に重量物を載置した際の撓みを防止するためのものであるから、天板１１の長さが短く、或いは板厚が厚く撓みがない場合には、必ずしも必要ではなく、左右の両側板１３，１４のみで十分な強度が得られる場合もある。
【００３５】
図３に示すように、展示台１を組み立てる（開く）場合には、図４及び図６の矢印Ａで示すように、まず主前板１２ｂを起こし、次いで、図３及び図５の矢印Ｃで示すように、左右の側板１３，１４及び支持台１５を引き起こす。
このとき、主前板１２ｂを僅かに前側に反らすようにし、主前板１２ｂの角棒２１を、図７及び図８に示すように側板１４の対応する位置に設けられた凹部１４ａの内部に嵌合させ、これをマグネット２２に吸着させて、側板１４を主前板１２ｂの裏面に固定する。
【００３６】
側板１３及び支持板１５についても、側板１４と同様にして主前板１２ｂの裏面に固定する。これにより、左右の側板１３，１４及び支持板１５が主前板１２ｂに固定されて、横方向に長い略直方体状の展示台１が形成される。
【００３７】
また、展示台１を折り畳む（閉じる）場合には、上述と反対の操作をすれば良い。即ち、図３に示す状態から矢印Ｄで示す方向に、左右の側板１３，１４及び支持板１５を折り畳んで図４に示すように天板１１の裏面に当接させ、次いで、主前板１２ｂを矢印Ｂで示すように天板１１側に折り畳み、側板１３，１４及び支持板１５の上に重ねる。これにより、直方体形状をなす展示台１を折り畳み、平板状にすることができる。
【００３８】
このように、展示台１の天板１１、両側板１３，１４、支持板１５及び前板１２を折り畳み構造とすることにより、保管時には多数の展示台１を平板状に折り畳み、積重ねることが可能となり、倉庫に保管する際の収納効率や運搬時における運搬効率が大幅に向上す
ると共に、展示台１の搬入搬出作業が軽減して作業効率が大幅に向上する。
更に、天板１１、主前板１２ｂ及び側板１３，１４等のパネルが一部破損した場合における交換修理を簡単に行うことができ、無駄を省くことができる。
【産業上の利用可能性】
【００３９】
本考案は、上述した一実施の形態に係る展示台に限定されるものではなく、様々な展示台に対して実施することが可能である。
【符号の説明】
【００４０】
１  展示台
３  テーブル
１１  天板
１２  前板
１２ａ  上部前板
１２ｂ  主前板
１２ｃ  凹部
１３，１４  側板
１４ａ  凹部
１５  支持板
１６，１７，１８，１９  蝶番
２１  角棒（磁性体）
２２  マグネット
【図１】
0003171160.tif 000003
【図２】
0003171160.tif 000004
【図３】
0003171160.tif 000005
【図４】
0003171160.tif 000006
【図５】
0003171160.tif 000007
【図６】
0003171160.tif 000008
【図７】
0003171160.tif 000009
【図８】
0003171160.tif 000010
【手続補正書】
【提出日】平成23年8月17日(2011.8.17)
【手続補正１】
【補正対象書類名】実用新案登録請求の範囲
【補正対象項目名】全文
【補正方法】変更
【補正の内容】
【実用新案登録請求の範囲】
【請求項１】
天板（１１）と前板（１２）と両側板（１３，１４）からなり、後方及び下方に開口する略直方体形状の展示台（１）であって、前記前板（１２ｂ）及び前記両側板（１３，１４）が前記天板（１１）に対して折り畳み可能とされ、開いた状態において略直方体形状をなし、折り畳んだ状態において前記両側板（１３，１４）及び前記前板（１２ｂ）を前記天板（１１）の裏面上に折り重ねることができ、前記両側板（１３，１４）は、前記天板（１１）に蝶番（１６，１７）で連結されると共に内側に折り畳まれて前記天板（１１）の裏面上に折り重ねられ、前記前板（１２ｂ）は、前記両側板（１３，１４）の板厚よりも僅かに幅広の隙間を介在させて前記天板（１１）に蝶番（１９）で連結されると共に内側に折り畳まれて前記両側板（１３，１４）上に折り重ねられることを特徴とする展示台。
【請求項２】
前記両側板（１３，１４）と略同形状に形成されると共に前記天板（１１）に前記両側板の間に蝶番（１８）で連結されて内側に折り畳まれて前記天板（１１）の裏面上に折り重ねることができる支持板（１５）を配設したことを特徴とする請求項１に記載の展示台。
【請求項３】
前記前板（１２）と前記両側板（１３，１４）は、開いた状態においてマグネット（２１）の吸着力により相互に固定されることを特徴とする請求項１に記載の展示台。
【請求項４】
前記前板（１２）の裏面上に突設された磁性体（２１）が、前記両側板（１３，１４）の前端面に設けられると共に内部にマグネット（２１）が取り付けられた凹部（１４ａ）に嵌合することにより固定されることを特徴とする請求項３に記載の展示台。
【手続補正２】
【補正対象書類名】明細書
【補正対象項目名】００３０
【補正方法】変更
【補正の内容】
【００３０】
即ち、主前板１２ｂは、両側板１３，１４の板厚よりも僅かに幅広の隙間を介在させて天板１１に蝶番１９で連結されると共に、内側に折り畳まれて両側板１３，１４上に折り重ねることができる。